(57)【要約】【課題】  冬季暖房中に屋外の新鮮な空気を暖めて供給することができる窓装置を提供する。【解決手段】  窓装置Ａは、窓開口１５を画成する窓枠１０と、この窓開口１５を開閉する透光性の雨戸２０（屋外側遮蔽体）および透光性の障子４０（屋内側遮蔽体）とを備えている。閉じ状態にある雨戸２０と障子４０との間の間隙が空気通路５０として提供される。この空気通路５０は、窓枠１０の下枠部１３に形成された第１換気路１３ｘを介して屋外に連なり、障子４０の上縁部に形成された開閉可能な第２換気路４３ｘを介して屋内に連なる。屋外の冷たい空気は、第１換気路１３ｘから入り、空気通路５０を上昇しながら暖められ、第２換気路４３ｘを経て屋内に供給される。【選択図】  図４
2009167733.tif 000002
【特許請求の範囲】
【請求項１】
窓開口を画成する窓枠と、この窓開口を開閉する透光性の屋外側遮蔽体および透光性の屋内側遮蔽体とを備え、
閉じ状態にある屋外側遮蔽体と屋内側遮蔽体との間の間隙が空気通路として提供され、この空気通路は、上記窓枠の下枠部に形成された第１換気路を介して屋外に連なり、上記屋内側遮蔽体の上縁部に形成された開閉可能な第２換気路を介して屋内に連なることを特徴とする窓装置。
【請求項２】
上記窓枠の下枠部が建物の屋外側壁面から突出しており、この突出した部位に上記第１換気路が形成されていることを特徴とする請求項１に記載の窓装置。
【請求項３】
上記屋内側遮蔽体が金属膜を蒸着してなる透明板を含むことを特徴とする請求項１または２に記載の窓装置。
【請求項４】
上記屋内側遮蔽体が複数層の透明板からなり、そのうち最も屋外側に位置する透明板に上記金属膜が蒸着されていることを特徴とする請求項３に記載の窓装置。
【請求項５】
上記屋外側遮蔽体が、左右に移動可能で戸袋に収容されることにより窓開口を全開する複数の雨戸からなり、上記屋内側遮蔽体が窓開口の範囲内で左右に移動可能な複数の障子からなり、上記第１換気路が上記雨戸の軌道と障子の軌道の間に形成されていることを特徴とする請求項１〜４に記載の窓装置。
【請求項６】
内階段で連なる複数階の建物において、上層階の窓に、請求項１〜５に記載の窓装置を設置することを特徴とする建物。
【発明の詳細な説明】
【技術分野】
【０００１】
本発明は、良好な換気を可能にした窓装置に関する。
【背景技術】
【０００２】
特許文献１に開示されているように、窓に設置される障子の上縁部に換気装置を設けることは公知である。この換気装置は開閉可能な換気口を有しており、障子を閉めて冷暖房を行った状態でも、小さな流通断面積の換気口を介して屋外と屋内とを連通させ、屋内の換気を行えるようになっている。
なお、本願発明に関連するものとして、特許文献２には透光性を有する雨戸が開示されており、特許文献３には透光性を有するシャッターが開示されている。
【０００３】
【特許文献１】実公平６−４０８７２号公報
【特許文献２】特開平１０−３３９０８０号公報
【特許文献３】特開２０００−１７０４５３号公報
【発明の開示】
【発明が解決しようとする課題】
【０００４】
特許文献１に開示された窓装置には２つの課題が残されている。第１の課題は、冬季に障子を閉めて暖房を行っている状態で換気口を開くと、換気口から屋外の冷たい空気が入り込んでくることである。この冷たい空気は床に向かって降りてきて居住者の足元を冷やし、居住者に不快感を与えてしまう。
【０００５】
第２の課題は、２階建て、３階建ての建物の換気に関するものである。すなわち、これら建物では、冬季に窓を閉めて暖房を行ない、屋外温度と屋内温度との間に大きな差が生じると、屋外の空気の比重に比べて屋内の空気の比重が軽いために、屋内では空気が上に向かって移動しようとし、そのため１階が負圧で２，３階が正圧となる。この状態で障子の換気口を開いた場合、１階では新鮮な外気を導入できるが、２，３階では屋内の空気が屋外に吐き出されるだけで新鮮な外気を導入できない。
最近の建物では、屋内の階段や洗面所等のダーティーゾーンにファンを設け、このファンにより屋内の空気を屋外へ排出するようになっているものもあるが、このようにファンを稼動させても気象条件および暖房条件によっては、２，３階での正圧が解消されず、上記不都合が生じることがある。
【課題を解決するための手段】
【０００６】
上記課題のいずれかを解決するため、本発明の窓装置は、窓開口を画成する窓枠と、この窓開口を開閉する透光性の屋外側遮蔽体および透光性の屋内側遮蔽体とを備え、閉じ状態にある屋外側遮蔽体と屋内側遮蔽体との間の間隙が空気通路として提供され、この空気通路は、上記窓枠の下枠部に形成された第１換気路を介して屋外に連なり、上記屋内側遮蔽体の上縁部に形成された開閉可能な第２換気路を介して屋内に連なることを特徴とする。
上記構成によれば、冬季暖房中に第２換気路を開くと、第１換気路から流入した屋外の冷たい空気は空気通路を上昇する過程で太陽光により温められ、第２換気路から屋内に供給でき、居住者に冷たい空気が触れるのを防止することができる。
また、屋内空間が正圧であっても、この空気通路で温められた空気の上昇に伴い、屋外の新鮮な空気を屋内に供給することができる。
【０００７】
好ましくは、上記窓枠の下枠部が建物の屋外側壁面から突出しており、この突出した部位に上記第１換気路が形成されている。
この構成によれば、第１換気路を簡単に形成することができる。
【０００８】
好ましくは、上記屋内側遮蔽体が金属膜を蒸着してなる透明板を含む。
この構成によれば、屋内側遮蔽体での太陽光の反射を良好に行え、空気通路を通る空気を効率良く暖めることができる。
【０００９】
好ましくは、上記屋内側遮蔽体が複数層の透明板からなり、そのうち最も屋外側に位置する透明板に上記金属膜が蒸着されている。
この構成によれば、複数層の透明板により、空気の暖め効率をより一層高めることができる。
【００１０】
好ましくは、上記屋外側遮蔽体が、左右に移動可能で戸袋に収容されることにより窓開口を全開する複数の雨戸からなり、上記屋内側遮蔽体が窓開口の範囲内で左右に移動可能な複数の障子からなり、上記第１換気路が上記雨戸の軌道と障子の軌道の間に形成されている。
これによれば、雨戸と障子の簡単な構造であり、居住者がこれら雨戸、障子を移動させることにより、窓開口を簡単に開閉することができる。
【００１１】
なお、屋外側遮蔽体は、回動可能な細長い透明の羽根板を多数含む面格子であってもよいし、窓枠の上方に巻き取り可能なシャッターであってもよい。
【００１２】
本発明の他の態様は、内階段で連なる複数階の建物において、上層階の窓に、上記窓装置を設置する。
この構成によれば、冬季暖房中に上層階が正圧となっていても、屋外の新鮮な空気を屋内に供給することができる。
【発明の効果】
【００１３】
本発明によれば、冬季暖房中に、屋外の冷たい空気を暖めて屋内に供給できる。また、屋内が正圧になっていても屋外の新鮮な空気を供給できる。
【発明を実施するための最良の形態】
【００１４】
以下、本発明の第１実施形態をなす窓装置を、図１〜図７を参照しながら説明する。最初に図１、図２を参照しながら、窓装置の概略構造について説明する。窓装置Ａは、建物Ｂの開口Ｂ１を塞ぐようにして取り付けられており、矩形の窓枠１０を備えている。窓枠１０の一部は建物Ｂの屋外側の壁面Ｂ２から突出している。また、窓枠１０に囲われるようにして窓開口１５が形成されている。
【００１５】
上記窓枠１０は、左右一対の縦枠部１１と、これら縦枠部１１の上下端に連結された上枠部１２（図４にのみ示す）、下枠部１３とを有している。左右一対の縦枠部１１の一方（図１において左）は、他方（図１において右側）に比べて幅寸法が短くなっており、これにより窓枠１０は雨戸通路１６を有している。
【００１６】
上記屋外側の壁面Ｂ２には開口Ｂ１に隣接して戸袋１９が取り付けられており、この戸袋１９の出入口１９ａは、窓枠１０の雨戸通路１６に連なっている。
【００１７】
上記窓枠１０には、２枚（複数枚）の雨戸２０（屋外側遮蔽体）と、網戸３０と、２枚（複数枚）の障子４０（屋内側遮蔽体）が屋外から屋内に向かって順に配置されている。
雨戸２０は、図１に示すように互いに面一をなし互いに突き当たることにより窓開口１５を閉じ、図２に示すように窓開口１５から退避して戸袋１９に収容されることにより、窓開口１５を全開するようになっている。
【００１８】
２枚の障子４０は異なる軌道に沿って左右方向に移動可能になっており、図１、図２に示すようにそれぞれが左右半分の領域を占めた状態で窓開口１５を閉じ、互いにほぼ重なり合うことにより、窓開口１５を略半分開くようになっている。
【００１９】
次に、窓装置Ａの詳細な構造を、主として図３、図４を参照しながら説明する。
上記窓枠１０の下枠部１３は、屋外から屋内に向かって順に、４つのレール１３ａ〜１３ｄ（軌道）を有している。これに対応して上枠部１２も、４つのガイド１２ａ〜１２ｄを有している。最も屋外側のガイド１２ａは溝からなり、他のガイド１２ｂ〜１２ｄは突条からなる。
【００２０】
上記雨戸２０は、図５、図６に最も示すように、戸枠２１と、この戸枠２１に嵌め込まれた透明板２２と、透明板２２の屋外側に面し、その周縁が戸枠２１に嵌め込まれた格子２３とからなる。透明板２２は、ガラスからなり、さらに好ましくは強化ガラスまたは安全合わせガラスからなり、防火性を要求される場合には、網入ガラス、耐火ガラスからなる。
【００２１】
雨戸２０の戸枠２１の下縁部には戸車２５が取り付けられている。この戸車２５が最も屋外側に位置するレール１３ａに乗り、戸枠２１の上縁部がガイド１２ａに挿入されることにより、雨戸２０は左右に移動可能となる。
【００２２】
上記網戸３０はその下縁部の戸車３５をレール１３ｂに乗せ、上縁部の溝に上記ガイド１２ｂを挿入させることにより、左右に移動可能となっており、窓開口１５の約半分の面積を占める。
【００２３】
上記障子４０は、障子枠４１と、この障子枠４１に嵌め込まれた２枚（複数枚）のガラス等からなる透明板４２とを有している。屋外側の透明板４２の屋内を向く面には金属膜４２ａ（図７参照）が蒸着されている。
【００２４】
図４に示すように、上記障子４０はその上縁部に換気装置４３を有している。本実施形態の換気装置４３は上框一体型と称されるものであり、周知の構造であるので簡単に説明する。換気装置４３は障子枠４１の上框となる本体４３ａを有している。この本体４３ａは中空をなし、屋内側換気口４３ｙと、屋外側換気口４３ｚと内部空間により構成された第２換気路４３ｘを有している。
【００２５】
上記本体４３ａには、上記第２換気路４３ｘを開閉するための作動板４３ｂが収容されている。本実施形態の作動板４３ｂは、その上縁が本体４３ａの長手方向にスライド可能かつ回動可能に支持されており、本体４３ａの屋内側の壁に設けた操作部材（図示しない）の操作により長手方向にスライドされ、このスライドに伴い本体４３ａ内に設けられたカム機構により本体４３ａの屋内側の壁に対して接離するように回動し、この壁に形成された上記換気口４３ｙを開閉するようになっている。
【００２６】
上記障子枠４１の下縁部には戸車４５が設けられている。一方の障子４０は、戸車４５をレール１３ｃに乗せ、その上縁部の溝に上記ガイド１２ｃを挿入させることにより、左右に移動可能となっており、他方の障子４０は、戸車４５をレール１３ｄに乗せ、その上縁部の溝に上記ガイド１２ｄを挿入させることにより、左右に移動可能となっている。
【００２７】
さらに窓装置Ａは次の特徴を有している。窓枠１０の下枠部１３の屋外に突出した部位には、多数の開口からなる第１換気路１３ｘが、下枠部１３の長手方向に間隔をおいて下枠部１３の略全長にわたって形成されている。この第１換気路１３ｘは、レール１３ａ、１３ｂ間に位置して屋外に露出している。
【００２８】
上記雨戸２０と障子４０との間に形成される間隙は、空気通路５０として提供される。この空気通路５０は上記窓枠１０の第１換気路１３ｘを介して屋外に連なり、障子４０の換気装置４３の第２換気路４３ｘを介して屋内に連なっている。
【００２９】
上記構成において、冬季に窓開口１５を２枚の雨戸２０と２枚の障子４０で閉めて屋内の暖房を行っている状態において、障子４０の換気装置４３の第２換気路４３ｘを開くと、図４に矢印で示すように、屋外の空気が窓枠１０の第１換気路１３ｘから入り、雨戸２０と障子４０の間の空気通路５０を上昇し、障子４０の第２換気路４３ｘを経て屋内に入る。
【００３０】
上記第１換気路１３ｘから流入した屋外の冷たい空気は空気通路５０を通る過程で暖められる。その原理について図７を参照しながら説明する。太陽光Ｓは、雨戸２０の透明板２２から入り、障子４０の透明板４２で反射する。さらに、この反射光は屋外に向かい雨戸２０の透明板２０で反射する。このような反射の繰り返しにより、透明板２２，４２を暖めるとともに空気通路５０の空気を暖める。なお、本実施形態では、屋外側の透明板４２に金属層４２ａを形成しているので、反射効率が高く、より一層の暖め効果を発揮することができる。また、網戸３０でも太陽光を吸収するので、空気の暖め効果をさらに高めることができる。
【００３１】
上記のように屋外の冷たい空気が空気通路５０で暖められてから屋内に供給されるので、居住者の足元を冷やすような不都合を防止することができる。
【００３２】
夏季には、雨戸２０を戸袋１９に収容することにより、上記集熱作用を排除でき、冷房効率の低下を回避できる。
なお、季節を問わず夜間や外出の際には雨戸２０を閉めることができる。
【００３３】
次に、本発明の他の実施形態について図面を参照しながら説明する。なお、以下に述べる実施形態において、先行して説明する実施形態に対応する構成部には同番号を付してその詳細な説明を省略する。
【００３４】
図８に示す第２実施形態の窓装置Ａでは、窓枠１０は、建物Ｂの開口Ｂ１に収まる第１窓枠部１０Ａと、建物Ｂの屋外側の壁面Ｂ１に取り付けられて壁面Ｂ１から突出する第２窓枠部１０Ｂとを備えている。この第１窓枠部１０Ａには、第１実施形態と同様に障子４０と網戸３０が左右方向に移動可能に配置されている。
【００３５】
上記第２窓枠部１０Ｂには、第１実施形態の雨戸２０の代わりに透光性の面格子６０（屋外側遮蔽体）が配置されている。この面格子６０は、第２窓枠部１０Ｂの上下枠部に回動可能に支持された垂直をなす多数の細長い羽根板６２を有している。これら羽根板６２は透明板により形成されている。これら羽根板６２は、図示しない駆動手段により、同期して回動制御される。図８のように羽根板６２が互いに接することにより窓開口１５が閉じられ、羽根板６２が壁面Ｂ１に対して直交し互いに平行をなすことにより、窓開口１５が全開となる。
【００３６】
上記第２窓枠部１０Ｂの下枠部には、上記面格子６０より屋内寄りに位置して多数の第１換気路１３ｘが形成されている。面格子６０と障子４０との間の間隙が空気通路５０として提供される。
【００３７】
第２実施形態でも第１実施形態と同様に、冬季暖房時に面格子６０および障子４０が閉じられた状態において、第１換気路１３ｘから流入した空気が空気通路５０を上昇しながら暖められて、障子４０の第２換気路４３ｘから屋内に供給される。
なお、上記羽根板６２は水平に延びて上下に多数並べられるように構成してもよい。
【００３８】
図９に示す第３実施形態の窓装置Ａでは、第１実施形態の雨戸２０の代わりに透光性の巻き上げ式シャッター７０（屋外側遮蔽体）が用いられている。このシャッター７０は、左右方向に水平に延びる多数の細長いフラップ７１を互いに回動可能に連結することにより構成されている。このフラップ７１は透明板からなる。
【００３９】
窓枠１０の上枠部１２にシャッター通路１２ｓが形成されており、この上枠部１２に巻き上げ装置７５が設置されている。この巻上げ装置７５からシャッター７０をシャッター通路１２ｓを経て下方に繰り出すことにより窓開口１５を閉じ、このシャッター７０を上方へ巻き取ることにより窓開口１５を全開するようになっている。シャッター７０および障子４０の閉じ状態における換気作用は、第１、第２実施形態と同様である。
【００４０】
上記窓装置Ａの作用説明では、冷たい空気の侵入を防止する作用について述べたが、同窓装置Ａを他の目的のために用いることもできる。すなわち、屋内側の気圧が正圧の場合でも、上記空気通路５０で空気を暖めて上昇させることにより、強制的に屋外の新鮮な空気を屋内に供給することができる。
【００４１】
以下、図１０、図１１を参照しながら、内階段により上下階が連なった２階建ての建物を例にとって詳述する。この建物は、１階に２部屋Ｒ１ａ、Ｒ１ｂを有し、２階にも２部屋Ｒ２ａ，Ｒ２ｂを有している。各階の階段室や洗面所等のダーティーゾーンＳ１，Ｓ２の外壁にはファンＦ１，Ｆ２が設けられており、屋内の空気を屋外に排気できるようになっている。
【００４２】
１階の各部屋Ｒ１ａ，Ｒ１ｂの外壁には、通常の窓装置として、第１〜第３実施形態の障子４０を備え雨戸２０を備えない窓装置Ｍが設けられている。また、２階の各部屋Ｒ２ａ、Ｒ２ｂの南側を除く壁にも同様の窓装置Ｍが設けられている。図１０、図１１には、この窓装置Ｍの第２換気路４３ｘだけを模式的に示す。
【００４３】
２階の各部屋Ｒ２ａ、Ｒ２ｂの南側の壁には、第１〜第３実施形態のいずれかの窓装置Ａが設けられている。図１０、図１１には、この窓装置Ａの第１換気路１３ｘ、第２換気路４３ｘ、空気通路５０だけを模式的に示す。
【００４４】
冬季において窓を閉めて暖房している状態では、前述したように屋外温度と屋内温度との差異に起因して、１階が負圧になり２階が正圧となる。１階の部屋Ｒ１ａ，Ｒ１ｂではファンＦ１の稼動により、負圧は増大する。そのため障子４０の第２換気路４３ｘを開ければ屋外の新鮮な空気が第２換気路４３ｘを経て屋内に供給される。
【００４５】
２階の部屋Ｒ２ａ、Ｒ２ｂでは、全ての窓が窓装置Ｍであると、上記のように屋内気圧が正圧となり、気象条件や暖房条件によってはファンＦ２を最大出力で稼動しても正圧の場合もあり、この場合、障子４０の第２換気路４３ｘを開けても新鮮な屋外空気を屋内に供給できないことがある。
【００４６】
しかし、図示の実施例においては、２階の南側に本発明に係わる窓装置Ａを設置しており、この窓装置Ａでは雨戸２０等の透光性の屋外遮蔽体と障子４０等の屋内遮蔽体との間の空気通路５０で空気を暖めて上昇させることができるので、室内が正圧であっても屋外の新鮮な空気を第１換気路１３ｘ、空気通路５０、第２換気路４３ｘを経て部屋Ｒ２ａ、Ｒ２ｂへ供給することができる。
【００４７】
以下、図１０、図１１の建物の換気効果を、国土交通省国土技術政策総合研究所および独立行政法人建築研究所が公開している排気回路網シミュレーションソフトである「ＶＥＮＴ  ＳＩＭ」を用いて確認する。
【００４８】
上記建物において、１階床面の高さは地面から０.５ｍ、１階床面から２階床面までの高さおよび２階床面から天井までの高さをそれぞれ２.５ｍ、ファンＦ１，Ｆ２の各階の床面からの高さを１.８ｍ、全ての窓装置Ａ，Ｍの換気装置４３の第２換気路４３ｘの高さを床面から１．６ｍ、窓装置Ａの第１換気路１３ｘの高さを床面から０.２ｍとする。
【００４９】
さらに、第１換気路１３ｘの有効開口面積を５０ｃｍ２とし、第２換気路４３ｘの有効開口面積を３０ｃｍ２とし、ファンＦ１，Ｆ２の最大風量を４０ｍ３／ｈとする。
気象条件は、外気温を５°Ｃ、風速０ｍ／Ｓとし、暖房条件は各室Ｒ１ａ，Ｒ１ｂ，Ｒ２ａ，Ｒ２ｂの温度を２０°Ｃとし、窓装置Ａの空気通路５０の温度を２０°Ｃとする。
【００５０】
以下、図示の実施例によるシミュレーション結果と、全ての窓を窓装置Ｍで構成した比較例によるシミュレーション結果とを比較する。
比較例では、１階の各窓装置Ｍからの換気量は、＋１２．６ｍ３／ｈであり、２階の窓装置Ｍからの換気量はー１．１５ｍ３／ｈであった。ここで、「＋」は、屋外から屋内への空気の流れ（吸い込み）を表し、「−」は屋内から屋外への空気の流れ（吐き出し）を表す。このように、比較例では２階ではたとえファンＦ１，Ｆ２が最大出力で稼動していても屋外からの新鮮な空気が供給されないことが分かる。
【００５１】
本実施例では、１階の窓装置Ｍからの換気量は、＋１２．０６ｍ３／ｈであり、比較例と大きな変化はなかった。
２階の南側以外の窓装置Ｍでは換気量がー５．２１ｍ３／ｈであり、屋内からの空気の吐き出しが行われ、屋外の新鮮な空気の流入はない。
しかし、南側の窓装置Ａでは、第１換気路１３ｘでの換気量が＋８．４８ｍ３／ｈであり、第２換気路４３ｘでの換気量が＋８．５６ｍ３／ｈであり、屋外の新鮮な空気を取り込むことができることが明らかである。なお、両換気路１３ｘ、４３ｘでの換気量は理論的には一致するはずであるが、ソフト上の誤差により僅かではあるが差異が生じている。
【００５２】
本発明は上記実施形態に制約されず、種々の形態を採用可能である。例えば、屋外側遮蔽体は窓開口を全開せず、例えば窓枠内で移動する障子のようにして、ほぼ半開するだけでもよい。屋内側遮蔽体は、左右方向に移動可能な障子に限定されず、上方へ持ち上げて窓開口を開き、下降させて閉じるものであってもよい。
障子等の屋内側遮蔽体は、金属膜を蒸着しないペアガラス（透明板）で構成してもよいし、単層のガラス板（透明板）で構成してもよい。
複数の障子を用いる場合、そのうちの一つだけに換気装置を設けてもよい。
換気装置での第２換気路の開閉はスライド式の作動板で行ってもよい。
【００５３】
図１０，１１において、全ての窓に本発明の窓装置を装着してもよい。
図１０、図１１の構成は、３階建てにも適用できる。この場合、少なくとも３階の南側の窓に本発明の窓装置を装着する。
【図面の簡単な説明】
【００５４】
【図１】本発明の第１実施形態に係わる窓装置の平断面図であり、雨戸を閉めた状態で示す。
【図２】雨戸を開けた状態で示す図１相当図である。
【図３】図１の要部を拡大して示す平断面図である。
【図４】図１の要部を拡大して示す縦断面図である。
【図５】同雨戸を屋外側から見た正面図である。
【図６】同雨戸の上部の拡大縦断面図である。
【図７】同窓装置の作用を示す概略縦断面図である。
【図８】本発明の第２実施形態を示す窓装置の平断面図である。
【図９】本発明の第３実施形態を示す窓装置の縦断面図である。
【図１０】本発明の窓装置を装備した２階建て建物を示し、図１１のＸ−Ｘ線に沿う縦断面図である。
【図１１】同建物の１階および２階の平断面図である。
【符号の説明】
【００５５】
Ａ  窓装置
１０  窓枠
１３  下枠部
１３ｘ  第１換気路
２０  雨戸（屋外側遮蔽体）
４０  障子（屋内側遮蔽体）
４３ｘ  第２換気路
５０  空気通路
６０  面格子（屋外側遮蔽体）
７０  シャッター（屋外側遮蔽体）
【図１】
2009167733.tif 000003
【図２】
2009167733.tif 000004
【図３】
2009167733.tif 000005
【図４】
2009167733.tif 000006
【図５】
2009167733.tif 000007
【図６】
2009167733.tif 000008
【図７】
2009167733.tif 000009
【図８】
2009167733.tif 000010
【図９】
2009167733.tif 000011
【図１０】
2009167733.tif 000012
【図１１】
2009167733.tif 000013